(57)【要約】【課題】物品の自動アクセス方法の提供。【解決手段】本発明による物品の自動アクセス方法は、画像処理ユニットにより、物品を撮影すると共に、画像電子ファイルに転換し、画像電子ファイルコードをコンピュータ内に保存し、更に、アクセスユニットにより、転換された画像電子ファイルの物品を、コードにより収納アクセスポイントに配置する。コンピュータは、更に、ネットワークIP情報整合ユニットとバーチャルシミュレーションユニットを結合し、ネットワークIP情報整合ユニットがネットワークを通じて多種の相関情報を収集し、コンピュータにより収集された情報に基づいて、画像電子ファイル中の適合する数種の物品画像を選択し、バーチャルシミュレーションユニットにより、選択された物品の使用状況をシミュレーションする。使用者はシミュレーション使用効果により、選択する物品を決定し、コンピュータによりアクセスユニットに命令して、物品を取り出す。【選択図】    図１
2009199510.tif 000002
【特許請求の範囲】
【請求項１】
物品の自動アクセス方法であって、画像処理ユニットにより、物品を撮影すると共に、画像電子ファイルに転換し、前記画像電子ファイルコードをコンピュータ内に保存し、更に、アクセスユニットにより、転換された画像電子ファイルの物品を、コードにより収納アクセスポイントに配置し、コンピュータは、更に、ネットワークIP情報整合ユニットとバーチャルシミュレーションユニットを結合し、前記ネットワークIP情報整合ユニットがネットワークを通じて多種の相関情報を収集し、コンピュータにより収集された情報に基づいて、画像電子ファイル中の適合する数種の物品画像を選択し、前記バーチャルシミュレーションユニットにより、選択された物品の使用状況をシミュレーションし、使用者はシミュレーション使用効果により、選択する物品を決定し、コンピュータにより前記アクセスユニットに命令して、物品を取り出すことができることを特徴とする物品の自動アクセス方法。
【発明の詳細な説明】
【技術分野】
【０００１】
本発明は、使用者が様々な外在条件要素によって、自動で使用する物品を選択するのを補助する方法に関するものである。
【背景技術】
【０００２】
身だしなみに注意する人、特に、女性は、その天性から、大量の時間を費やしてその日何を着るか決定する。
【０００３】
この他、家族構成が多い時、個人の服、或いは、物品は同一のクローゼットに収納するので、物品が混乱し、探すのに苦労する。各個人がそれぞれ個人のクローゼットを使用すれば、整理や探すのは容易であるが、空間を占有する。
【０００４】
更に、個人の趣味、例えば、ゴルフに行くとき、どの靴を履くか、どの用品を持っていくか、どのクラブを使用するかが判断しにくいことがある。
【０００５】
また、企業は、製品をクライアントに展示するために、通常、物品を放置する空間を準備するが、サンプルの種類や数量が多いとき、混乱しやすく、管理しにくい。
【発明の開示】
【発明が解決しようとする課題】
【０００６】
本発明の目的は、物品の自動アクセス方法を提供し、上述の問題を解決することにある。
【課題を解決するための手段】
【０００７】
本発明は、コンピュータの管理補助により、個人、或いは、企業の物品を効果的にそれぞれ分類、及び、コード化し、同時に、ネットワークの功能を結合して、物品に関する情報を自動検索する。使用者はコンピュータを操作して取り出したい物品の条件を入力するだけで、コンピュータが入力された条件に基づいて、適合する物品を数種選択して、バーチャル方式で表示し、使用者は使用状況をシミュレーションして、コンピュータで必要な物品を選択し、その後、コンピュータにより指令をアクセスユニットに送り、アクセスユニットが、収納アクセスポイントから選択した物品を取り出し、使用者に提供する。
【０００８】
本発明による物品の自動アクセス方法は、画像処理ユニットにより、物品を撮影すると共に、画像電子ファイルに転換し、画像電子ファイルコードをコンピュータ内に保存し、更に、アクセスユニットにより、転換された画像電子ファイルの物品を、コードにより収納アクセスポイントに配置する。コンピュータは、更に、ネットワークIP情報整合ユニットとバーチャルシミュレーションユニットを結合し、ネットワークIP情報整合ユニットがネットワークを通じて多種の相関情報を収集し、コンピュータにより収集された情報に基づいて、画像電子ファイル中の適合する数種の物品画像を選択し、バーチャルシミュレーションユニットにより、選択された物品の使用状況をシミュレーションする。使用者はシミュレーション使用効果により、選択する物品を決定し、コンピュータによりアクセスユニットに命令して、物品を取り出す。
【０００９】
本発明の物品の自動アクセス方法は、個人の衣類、或いは、家庭用品の管理、収納と取り出しに適用し、また、企業のサンプル管理にも適用できる。
【発明の効果】
【００１０】
本発明の物品の自動アクセス方法は、物品が混乱しやすく、管理しにくい状況を改善することができる。
【発明を実施するための最良の形態】
【００１１】
図１は、本発明の物品の自動アクセス方法の工程図で、コンピュータ１、コンピュータ１と結合される画像処理ユニット２、ネットワークIP情報整合ユニット３、バーチャルシミュレーションユニット４、及び、アクセスユニット５、収納アクセスポイント６、からなる。アクセスユニット５は収納アクセスポイント６と動作上の対応関係を形成し、アクセスユニット５は物品を収納アクセスポイント６に放入するか、或いは、収納アクセスポイント６から物品を取り出す。アクセスユニット５は機械アームでもよいし、輸送機、或いは、輸送功能を有する設備である。収納アクセスポイント６は、クローゼット、更衣室、収納棚等の物品を放置できる空間で、先に適当な仕切りを作ってから、コード管理する。
【００１２】
ネットワークIP情報整合ユニット３はコンピュータ１に結合された後、先の設定により、インターネットで特定のウェブサイトで相関する情報を検索し、例えば、気象局ウェブにアクセスして、一定期間の気象情報を検索する。また、交通機関のウェブにアクセスして、道路交通状況を検索することができる。更に、行楽地に関するウェブで入場者数を調べることができる。或いは、特定の球場が発布する情報にアクセスしてもいい。ネットワークIP情報整合ユニット３は、常に、インターネットに連結した状態を保持してもいいし、一定時間情報を自動更新するように設定してもよい。
【００１３】
バーチャルシミュレーションユニット４は、実際の需要に応じて、非実態のシミュレーション環境プラットホームを創造し、コンピュータ１により選択する用品を、まず、バーチャルシミュレーションユニット４により使用状況をシミュレーションした後、その実物を取り出すか決定し、実物を取り出すのが面倒で、時間がかかることがない。
【００１４】
本発明のアクセス方法により、まず、画像処理ユニット２を利用して、収納したい物品を撮影し、画像電子ファイルに転換して、コンピュータ１内に保存し、同時に、物品、或いは、所有者の属性によって、コード化する。画像電子ファイルに転換された物品は、アクセスユニット５により収納アクセスポイント６中に保存され、収納アクセスポイント６は同様に、コンピュータに保存された物品コードに従って、対応する保存空間を作り、アクセスユニット５が物品を取り出すことができる。
【００１５】
使用者は、収納アクセスポイント６中の物品を取り出したい時、コンピュータ１を操作して、必要な条件を入力するだけで、コンピュータ１が入力された条件に従って、インターネット上で収集した相関情報を対照し、適合する数種の物品の画像をディスプレイに表示する。この時、使用者は再度コンピュータを操作して、バーチャルシミュレーションユニット４により、選択した数種の物品を一つずつシミュレーション使用して、取り出す物品を決定する。取り出す物品を確定した後、コンピュータがアクセスユニットに指令を出し、アクセスユニット５は物品のコード番号により、アクセス収納ポイント６で物品を実物を取り出して、使用者に提供する。
【００１６】
例えば、本発明は、着衣の選択に応用でき、自分や家族の服、帽子、マフラー、ネクタイ等の衣類を画像処理ユニット２により画像電子ファイルに転換し、更に、それをコンピュータに分類して保存する。同時に、衣類を収納アクセスユニット６に保存する。ネットワークIP情報整合ユニット３は、随時、気象機関のウェブに連接した状態を維持して、最新の気象情報を入手する。使用者は、目的地の天候を知らず、何を着ればいいか分からない時、コンピュータにより目的地の気象情報を確認し、その後、コンピュータの気象情報により、適する着衣の画像を選択し、使用者は、選択された数種の衣類の画像をバーチャルシミュレーションユニットで、まず、着用をシミュレーションして、決定する。その後、コンピュータに指令を下し、決定する衣類の実体を、アクセスユニット５から取り出して着用する。
【００１７】
同様に、本発明は、個人の用品の管理や取り出しにも応用でき、例えば、ゴルフクラブ、ウェア、シューズ、アクセサリ等のゴルフ用品を画像処理ユニット２により撮影して画像電子ファイルに転換し、コンピュータに分類して保存する。同時に、これらの用品を収納アクセスユニット６に保存する。ネットワークIP情報整合ユニット３は、随時、ゴルフ場と気象機関のウェブに連接した状態を維持して、最新の球場の状況と気象情報を入手する。使用者は、どのようなゴルフ用具を持ていけばいいか、何を着ればいいか分からない時、前述の方式でコンピュータを操作して、適合する用品、衣服を選択する。
【００１８】
この他、本発明のアクセス方法は、企業のサンプル管理と展示にも応用できる。例えば、企業主は、多種のサンプルを画像処理ユニット２により撮影して画像電子ファイルに転換し、コンピュータに分類して保存する。同時に、これらのサンプルを収納アクセスユニット６に保存する。ネットワークIP情報整合ユニット３は、随時、特定のクライアントとの購買データと連接した状態を維持して、最新のマーケット情報を入手する。クライアントがサンプルを見たい時、企業主は、前述の方式でコンピュータを操作して、適合するサンプルの画像を選択し、選択したサンプルの画像をバーチャルシミュレーションユニットにより、形態と功能をシミュレーション展示し、クライアントが更に実物を見たい時、コンピュータに指令を出し、決定したサンプルの実物をアクセスユニット５から取り出す。よって、企業主のサンプルは混乱せずに、展示効果も効率的になる。
【図面の簡単な説明】
【００１９】
【図１】本発明の工程図である。
【符号の説明】
【００２０】
１  コンピュータ
２  画像処理ユニット
３  ネットワークIP情報整合ユニット
４  バーチャルシミュレーションユニット
５  アクセスユニット
６  収納アクセスポイント
【図１】
2009199510.tif 000003